(57)【要約】【課題】  メインシャシーに対して組立構造を簡単に改善した磁気記録／再生装置のヘッドドラム組立体及びその製造方法を提供する。【解決手段】  本発明による磁気記録／再生装置のヘッドドラム組立体は、固定ドラムと、固定ドラムに圧入され固定ドラムの下部に突出された部分には締結部が形成されたシャフトと、固定ドラムの上部に配置されシャフトに回転自在に支持された回転ドラムと、シャフトの突出部が貫通される孔を有するドラムベース及び前記ドラムベースの裏面で締結部に締結される締結要素とを含む。【選択図】      図３
2006004606.tif 000002
【特許請求の範囲】
【請求項１】
固定ドラムと；
前記固定ドラムに圧入され、固定ドラムの下部に突出された部分には締結部が形成されたシャフトと；
前記固定ドラムの上部に配置され、前記シャフトに回転自在に支持された回転ドラムと；
前記シャフトの突出部が貫通される孔を有するドラムベースと；
前記ドラムベースの裏面で前記締結部に締結される締結要素とを含むことを特徴とする磁気記録／再生装置のヘッドドラム組立体。
【請求項２】
前記締結部はネジ山であり、前記締結要素はナットであることを特徴とする請求項１に記載の磁気記録／再生装置のヘッドドラム組立体。
【請求項３】
前記固定ドラムの組立位置をガイドするガイド手段を含むことを特徴とする請求項２に記載の磁気記録／再生装置のヘッドドラム組立体。
【請求項４】
前記ガイド手段は、
前記ドラムベースに形成された少なくとも一対のガイドボスと；
前記固定ドラムの前記ガイドボスと相補的な位置に形成されたボス収容部とを含むことを特徴とする請求項３に記載の磁気記録／再生装置のヘッドドラム組立体。
【請求項５】
前記ガイド手段は、
前記固定ドラムに形成された少なくとも一対のガイドボスと；
前記ドラムベースの前記ガイドボスの相補的な位置に形成されたボス収容部とを含むことを特徴とする請求項３に記載の磁気記録／再生装置のヘッドドラム組立体。
【請求項６】
前記一対のガイドボスは、
前記シャフトを中心として対称するように形成されたことを特徴とする請求項４に記載の磁気記録／再生装置のヘッドドラム組立体。
【請求項７】
前記ガイドボスは、前記ドラムベースを絞り加工することによってドラムベースと一体に形成されたことを特徴とする請求項４に記載の磁気記録／再生装置のヘッドドラム組立体。
【請求項８】
前記ドラムベースは、メインシャシーに一体に形成されたことを特徴とする請求項１乃至請求項７のいずれか一項に記載の磁気記録／再生装置のヘッドドラム組立体。
【請求項９】
シャフトに形成された連結ユニットが固定ドラムを貫通して突出され得るように前記固定ドラムにシャフトを挿入するステップと；
前記シャフトに回転ドラムを前記固定ドラムの上側に回転自在に設置するステップと；
前記固定ドラムを貫通して突出された連結ユニットをドラムベースの締結位置に配置して、前記ドラムベースの上側に前記固定ドラムを位置させるステップと；
前記連結ユニットに締結要素を締結して、前記固定ドラムとドラムベースを固定するステップとを含むことを特徴とする磁気記録／再生装置のヘッドドラム組立体の組立方法。
【請求項１０】
前記連結ユニットはネジ山であり、前記締結ユニットはボルトで備えられたことを特徴とする請求項９に記載の磁気記録／再生装置のヘッドドラム組立体の組立方法。
【請求項１１】
前記固定ドラムの組立位置をガイドするガイド手段を含むことを特徴とする請求項９に記載の磁気記録／再生装置のヘッドドラム組立体の組立方法。
【請求項１２】
前記ガイド手段は、
前記固定ドラムに形成された少なくとも一対のガイドボスと；
前記ドラムベースの前記ガイドボスの相補的な位置に形成されたボス収容部とを含むことを特徴とする請求項１１に記載の磁気記録／再生装置のヘッドドラム組立体の組立方法。
【請求項１３】
前記一対のガイドボスは、
前記シャフトを中心として対称するように形成されたことを特徴とする請求項１２に記載の磁気記録／再生装置のヘッドドラム組立体の組立方法。
【請求項１４】
前記ガイドボスは、前記ドラムベースを絞り加工することによりドラムベースと一体に形成されたことを特徴とする請求項１２に記載の磁気記録／再生装置のヘッドドラム組立体の組立方法。
【発明の詳細な説明】
【技術分野】
【０００１】
本発明は、磁気記録／再生装置のヘッドドラム組立体及び組立方法に関する。
【背景技術】
【０００２】
一般に、磁気記録／再生装置は、磁気テープのような記録媒体にビデオ及びオーディオ情報を記録し、記録された情報を再生する装置であって、ＶＣＲ（ビデオカセットテープレコーダ）、カムコーダーなどがある。
【０００３】
前記磁気記録／再生装置は、メインシャシーと、該メインシャシーに摺動自在に設置されるサブシャシーと、磁気テープに情報を記録／再生するヘッドドラム組立体と、前記磁気テープの走行をガイドするテープガイド手段などを備える。
【０００４】
前記ヘッドドラム組立体は、記録／再生機能を向上させることができるように、通常メインシャシーに対して所定角度傾いた状態で回転自在に設置される。このようなヘッドドラム組立体は、図１及び図２に図示したように、固定ドラム１１、固定ドラム１１に圧入されたシャフト１０、固定ドラム１１の上部に配置され、シャフト１０に回転自在に設置される回転ドラム１３、回転ドラム１３の上部に固定されたドラムカバー１４及び回転ドラム１３に設置される磁気ヘッド１５を備える。
【０００５】
磁気ヘッド１５は、固定ドラム１１と回転ドラム１３との外周面を接触走行する磁気テープに情報を記録するか、記録された情報を再生する。
【０００６】
固定ドラム１１には、図２に示すように、３つのネジ孔１１ａと２つのガイド溝１１ｂが形成される。このような従来のヘッドドラム組立体は、固定ドラム１１の下部面をメインシャシー１６に密着させた状態で、メインシャシー１６のネジ孔１６ａと固定ドラム１１のネジ孔１１ａとにスクリュー１８を締結することにより固定ドラム１１を組立てる。この際、スクリュー１８の締結力によりヘッドドラム組立体が変形されることを防止するために、スクリュー１８とメインシャシー１６との間には弾性部材１９が設置される。ここで、固定ドラム１１の２つのガイド溝１１ｂには、メインシャシー１６の図示していないガイド突起が収容される。
【０００７】
しかし、上述したような従来のヘッドドラム組立体は、３つのスクリュー１８と弾性部材１９を利用してメインシャシー１６に固定ドラム１１を組立てるので、組立部品数及び工程数の増加による生産性減少とコストアップの問題がある。
【発明の開示】
【発明が解決しようとする課題】
【０００８】
本発明は、前記のような問題点を鑑みてなされたものであって、その目的は、メインシャシーに対して組立構造を簡単に改善した磁気記録／再生装置のヘッドドラム組立体を提供することにある。
【課題を解決するための手段】
【０００９】
前記のような目的を達成するための本発明による磁気記録／再生装置のヘッドドラム組立体は、固定ドラム、前記固定ドラムに圧入され、固定ドラムの下部に突出された部分には締結部が形成されたシャフト、前記固定ドラムの上部に配置され、前記シャフトに回転自在に支持された回転ドラム、前記シャフトの突出部が貫通される孔を有するドラムベース及び前記ドラムベースの裏面で前記突出部の締結部に締結される締結要素を含むことを特徴とする。
【００１０】
本発明の好適な実施形態によると、前記締結部はネジ山であり、前記締結要素はナットであることが好ましい。
【００１１】
また、前記固定ドラムの組立位置をガイドするガイド手段を含むことがよいが、前記ガイド手段は、前記ドラムベースに形成された少なくとも一対のガイドボス及び前記固定ドラムの前記ガイドボスと相補的な位置に形成されたボス収容部を含むか、前記固定ドラムに形成された少なくとも一対のガイドボス及び前記ドラムベースの前記ガイドボスの相補的な位置に形成されたボス収容部を含むことが好ましい。
【００１２】
また、前記一対のガイドボスは、前記シャフトを中心として対称するように形成されることが好ましい。
【００１３】
また、前記ガイドボスは、前記ドラムベースを絞り加工することによりドラムベースと一体に形成されることができる。
【００１４】
また、前記ドラムベースは、メインシャシーに一体に形成されることが好ましい。
【００１５】
本発明による磁気記録／再生装置のヘッドドラム組立体の組立方法は、シャフトに形成された連結ユニットが固定ドラムを貫通して突出されるように前記固定ドラムにシャフトを挿入するステップと；前記シャフトに回転ドラムを前記固定ドラムの上側に回転自在に設置するステップと；前記固定ドラムを貫通して突出された連結ユニットをドラムベースの締結位置に配置して、前記ドラムベースの上側に前記固定ドラムを位置させるステップと；前記連結ユニットに締結要素を締結して、前記固定ドラムとドラムベースを固定するステップとを含むことを特徴とする。
【発明の効果】
【００１６】
以上、説明したような本発明の磁気記録／再生装置のヘッドドラム組立体によると、固定ドラムに圧入されたシャフトの一端に締結部を形成し、この締結部をドラムベースを貫通するようにして、ドラムベースの裏面で締結部と締結要素とを結合して、固定ドラムをドラムベースに組立てることができるため、固定ドラムの組立てのために所要される部品数を減らすことができ、組立工程数を減らすことができるので、製造コストを節減できる。
【発明を実施するための最良の形態】
【００１７】
以下、本発明の好適な実施形態を添付図面に基づいて説明する。
【００１８】
（実施形態１）
以下、本発明の好適な実施形態による磁気記録／再生装置のヘッドドラム組立体を添付した図面に基づいて説明する。
【００１９】
図３に示すように、ヘッドドラム組立体１００は、記録／再生機能を向上させることができるように、図示していないメインシャシーに対して所定角度傾いた状態で回転自在に設置される。
【００２０】
本発明による磁気記録／再生装置のヘッドドラム組立体１００は、固定ドラム１１０、シャフト１２０、回転ドラム１３０、ドラムベース１６０及び締結要素１７０を含む。
【００２１】
固定ドラム１１０は、シャフト１２０によりドラムベース１６０に固定され、その上部に回転ドラム１３０及びドラムカバー１４０が配置される。
【００２２】
シャフト１２０は、固定ドラム１１０に圧入結合され、固定ドラム１１０の下部に突出された部分にドラムベース１６０を貫通する締結部１２１が形成される。
【００２３】
回転ドラム１３０は、固定ドラム１１０の上部に配置され、シャフト１２０に図示していない軸受けにより回転自在に支持される。回転ドラム１３０の上部には、ドラムカバー１４０がシャフト１２０に圧入されて配置され、回転ドラム１３０には、磁気テープに情報を記録するか、記録された情報を再生するための磁気ヘッド１５０が設置される。
【００２４】
ドラムベース１６０は、部品数を減らすために前記メインシャシーの一部を折曲げ形成して設けられることが良いが、これを限定するものではなく、別の部材で製作して前記メインシャシーに設置することも可能である。ドラムベース１６０は、固定ドラム１１０が安着されるところであって、締結部１２１が貫通される孔１６３を有する。
【００２５】
締結要素１７０は、ドラムベース１６０の裏面で孔１６３を貫通した締結部１２１と締結される。本発明の好適な実施形態によると、締結部１２１は、ネジ山であり、締結要素１７０はナットで備えられることが好ましい。
【００２６】
したがって、固定ドラム１１０をドラムベース１６０に固定するために、ネジ山１２１をドラムベース１６０の裏面でナット１７０で締結すれば良いので、固定ドラム１１０組立のための部品数を減らすことができ、組立にかかる時間を短縮することができる。
【００２７】
一方、本発明による磁気記録／再生装置のヘッドドラム組立体１００は、固定ドラム１１０の組立位置をガイドするガイド手段１８０を含むことが好ましい。
本発明の第１実施形態によるガイド手段１８０は、図３及び図４に示すように、ドラムベース１６０に形成された少なくとも一対のガイドボス１６１及び固定ドラム１１０のガイドボス１６１と相補的な位置に形成されたボス収容部１１１を含むことができる。この際、ガイドボス１６１は、別の部材で備えられることもできるが、図３に示すようにドラムベース１６０に絞り加工され、ドラムベース１６０と一体に形成されることが好ましい。
【００２８】
（実施形態２）
また、本発明の第２実施形態によるガイド手段１８０は、図５に示すように、固定ドラム１１０に形成された少なくとも一対のガイドボス１１２及びドラムベース１６０のガイドボス１１２の相補的な位置に形成されたボス収容部１６２を含むこともできる。
【００２９】
本発明の第１及び第２実施形態による一対のガイドボス１６１、１１２とボス収容部１１１、１６２は、固定ドラム１１０の組立位置をより容易にガイドするために、シャフト１２０を中心として対称するように形成されることが好ましい。
【００３０】
このようなガイド手段１８０は、回転ドラム１３０の高速回転の影響により、最初の締結位置で固定ドラム１１０が一緒に回転することを防止することができ、いつも一定の位置で固定ドラム１１０が組立てられることができる。
【００３１】
一方、本発明の好適な第１及び第２実施形態は、締結部１２１と締結要素１７０とを、ネジ山とこれに締結されるナットで構成したことを例示しているが、締結要素１７０をピンとし、該ピンを締結部１２１に結合することにより構成することもできる。この場合、締結部１２１には、ネジ山が形成される代わりに前記ピンが挿入されるピン孔が形成される。したがって、締結部１２１は、ドラムベース１６０に形成された孔１６３を貫通して締結部１２１に設けられたピン孔に前記ピンを挿入することにより固定ドラム１１０をドラムベース１６０に固定することもできる。
【００３２】
以上、本発明を、本発明の原理を例示するための好適な実施形態と関連して図説したが、本発明はそのように図説されたそのままの構成及び作用に限定されるものではない。却って、添付された特許請求の範囲の思想及び範疇を逸脱することなく、本発明に対する多数の変更及び修正が可能であることを当業者はよく理解できるだろう。したがって、そのような適切なすべての変更及び修正と均等物も、本発明の範囲に属するものと見なされるべきである。
【産業上の利用可能性】
【００３３】
本発明の磁気記録／再生装置のヘッドドラム組立体は、磁気テープのような記録媒体に映像及びオーディオ情報を記録し、記録された情報を再生するＶＣＲ、カムコーダーなどに使用することができる。
【図面の簡単な説明】
【００３４】
【図１】従来の磁気記録／再生装置のヘッドドラム組立体及びその組立構造を示す図である。
【図２】従来の磁気記録／再生装置のヘッドドラム組立体及びその組立構造を示す図である。
【図３】本発明による磁気記録／再生装置のヘッドドラム組立体及びその組立構造を示す図である。
【図４】図３の分解斜視図である。
【図５】本発明の他の実施形態による分解斜視図である。
【符号の説明】
【００３５】
１１０    固定ドラム
１１１、１６２  ボス収容溝
１２０    シャフト
１２１    締結部
１３０    回転ドラム
１４０    ドラムカバー
１５０    磁気ヘッド
１６０    ドラムベース
１６１、１１２  ガイドボス
１７０    締結要素
１８０    ガイド手段
【図１】
2006004606.tif 000003
【図２】
2006004606.tif 000004
【図３】
2006004606.tif 000005
【図４】
2006004606.tif 000006
【図５】
2006004606.tif 000007